【手続補正書】
【提出日】平成15年8月15日(2003.8.15)
【手続補正１】
【補正対象書類名】明細書
【補正対象項目名】特許請求の範囲
【補正方法】変更
【補正の内容】
【特許請求の範囲】
【請求項１】
ケーシングと、該ケーシング内に組み込んである軸と、該ケーシング内に組み込んであり該軸を回動させるばねとを有し、閉じ位置と開き位置との間を回動する折り畳み体を有する折り畳み携帯電話機内に、上記ケーシングを折り畳み携帯電話機に固定されて、且つ上記軸を上記折り畳み体と係合させて組込まれるヒンジモジュールであって、
上記ケーシング内に、上記折り畳み体が閉じ位置から開き位置へ回動するときに、充填されているオイルを攪拌してダンパ機能を発揮するダンパ部を有する構成としたことを特徴とするヒンジモジュール。
【請求項２】
請求項１のダンパ部は、
上記軸に嵌合して設けてあり、上記ケーシングの内面に密着して、上記ケーシングのち、上記ばねが収容されているばね収容部分を仕切るシール部材と、
該シール部材によって仕切られたばね収容部分内に充填されているオイルとよりなり、
上記折り畳み体が閉じ位置から開き位置へ回動するときの上記軸及び上記ばねの動きが上記オイルを攪拌させる構成としたことを特徴とするヒンジモジュール。
【請求項３】
請求項１のダンパ部は、
上記軸に嵌合して設けてあり、上記ケーシングの内面に密着して、上記ケーシングのち、上記ばねが収容されているばね収容部分を仕切るシール部材と、
該シール部材によって仕切られた部分内に充填されているオイルと、
上記軸に形成してあり、上記シール部材によって仕切られた部分内に位置しており、ストッパに当たって該軸の回動停止位置をきめる羽根部とよりなり、
上記折り畳み体が閉じ位置から開き位置へ回動するときの上記軸の羽根部の動きが上記オイルを攪拌させる構成としたことを特徴とするヒンジモジュール。
【請求項４】
請求項１のダンパ部は、
上記軸に嵌合して設けてあり、上記ケーシングの内面に密着して、上記ケーシングのち、上記ばねが収容されているばね収容部分を仕切るシール部材と、
該シール部材によって仕切られた部分内に充填されているオイルと、
上記軸の周面に形成してあり、上記シール部材によって仕切られた部分内に位置している平面部とよりなり、
上記折り畳み体が閉じ位置から開き位置へ回動するときの上記軸の平面部の動きが上記オイルを攪拌させる構成としたことを特徴とするヒンジモジュール。
【請求項５】
閉じ位置と開き位置との間を回動する折り畳み体を有する折り畳み携帯電話機に組込まれるヒンジモジュールであって、
ケーシングと、
該ケーシング内に組み込まれた第１の軸と、
上記折り畳み体を回動させる第２の軸と、
上記ケーシング内に組み込まれ、該第１の軸に、上記折り畳み体を上記閉じ位置より上記開き位置へ回動させる方向の回転力を付与する第１のばね部材と、
上記折り畳み体が上記開き位置を越えて過剰に開かれたときに変形して、上記折り畳み体を上記開き位置へ戻す方向の回転力を、上記第２の軸に付与する第２のばね部材と、
上記第１の軸に設けてあり、通常は、上記第２の軸が上記第１の軸に対して上記折り畳み体が閉じる方向に独立して回動することを制限する第１のストッパと、
上記ケーシング内に設けてあり、上記折り畳み体が閉じ位置から開き位置へ回動するときに、充填されているオイルを攪拌してダンパ機能を発揮するダンパ部とを有する構成としたことを特徴とするヒンジモジュール。
【請求項６】
請求項５のダンパ部は、
上記第１の軸に嵌合して設けてあり、上記ケーシングの内面に密着して、上記ケーシングのち、上記第１のばね部材が収容されているばね収容部分を仕切るシール部材と、
該シール部材によって仕切られたばね収容部分内に充填されているオイルとよりなり、
上記折り畳み体が閉じ位置から開き位置へ回動するときの上記第１の軸及び上記第１のばねの動きが上記オイルを攪拌させる構成としたことを特徴とするヒンジモジュール。
【請求項７】
請求項５のダンパ部は、
上記第１の軸に嵌合して設けてあり、上記ケーシングの内面に密着して、上記ケーシングのち、上記第１のばね部材が収容されているばね収容部分を仕切るシール部材と、
該シール部材によって仕切られた部分内に充填されているオイルと、
上記第１の軸に形成してあり、上記シール部材によって仕切られた部分内に位置しており、第２のストッパに当たって該第１の軸の回動停止位置をきめる羽根部とよりなり、
上記折り畳み体が閉じ位置から開き位置へ回動するときの上記第１の軸の羽根部の動きが上記オイルを攪拌させる構成としたことを特徴とするヒンジモジュール。
【請求項８】
請求項５のダンパ部は、
上記第１の軸に嵌合して設けてあり、上記ケーシングの内面に密着して、上記ケーシングのち、上記第１のばね部材が収容されているばね収容部分を仕切るシール部材と、
該シール部材によって仕切られた部分内に充填されているオイルと、
上記第１の軸の周面に形成してあり、上記シール部材によって仕切られた部分内に位置している平面部とよりなり、
上記折り畳み体が閉じ位置から開き位置へ回動するときの上記第１の軸の平面部の動きが上記オイルを攪拌させる構成としたことを特徴とするヒンジモジュール。
【請求項９】
請求項１のヒンジモジュールのケーシングを、その端にケーシングより細い径のボビン部とこのボビン部の周面に対向する係止腕部とを有する構成とし、
該ケーシングに、横帯部とこの両端より逆方向に延びた第１及び第２の縦帯部とよりなるフレキシブルプリント回路板を、その横帯部をケーシングの外周に位置決めし、第１の縦帯部をケーシングに巻付け、ケーシングに固定した抑え部品によって解けないようにし、第２の縦帯部を上記ボビン部に巻付け且つ解けないように係止腕部に係止させてなり、
第１の縦帯部の先端に電話機本体と接続される端子部を有し、第２の縦帯部の先端に折り畳み体と接続される端子部を有する構成としたことを特徴とするヒンジモジュール。
【請求項１０】
電話機本体と、
折り畳み体と、
該折り畳み体を上記電話機本体に対して、閉じ位置と開き位置との間を回動するように支持する請求項１乃至９のうちいずれか一項記載のヒンジモジュールとよりなる構成としたことを特徴とする折り畳み携帯電話機。
【手続補正２】
【補正対象書類名】明細書
【補正対象項目名】００１２
【補正方法】変更
【補正の内容】
【００１２】
請求項４の発明は、請求項１のダンパ部は、
上記軸に嵌合して設けてあり、上記ケーシングの内面に密着して、上記ケーシングのち、上記ばねが収容されているばね収容部分を仕切るシール部材と、
該シール部材によって仕切られた部分内に充填されているオイルと、
上記軸の周面に形成してあり、上記シール部材によって仕切られた部分内に位置している平面部とよりなり、
上記折り畳み体が閉じ位置から開き位置へ回動するときの上記軸の平面部の動きが上記オイルを攪拌させる構成としたものである。
請求項５の発明は、閉じ位置と開き位置との間を回動する折り畳み体を有する折り畳み携帯電話機に組込まれるヒンジモジュールであって、
ケーシングと、
該ケーシング内に組み込まれた第１の軸と、
上記折り畳み体を回動させる第２の軸と、
上記ケーシング内に組み込まれ、該第１の軸に、上記折り畳み体を上記閉じ位置より上記開き位置へ回動させる方向の回転力を付与する第１のばね部材と、
上記折り畳み体が上記開き位置を越えて過剰に開かれたときに変形して、上記折り畳み体を上記開き位置へ戻す方向の回転力を、上記第２の軸に付与する第２のばね部材と、
上記第１の軸に設けてあり、通常は、上記第２の軸が上記第１の軸に対して上記折り畳み体が閉じる方向に独立して回動することを制限する第１のストッパと、
上記ケーシング内に設けてあり、上記折り畳み体が閉じ位置から開き位置へ回動するときに、充填されているオイルを攪拌してダンパ機能を発揮するダンパ部とを有する構成としたものである。
請求項６の発明は、請求項５のダンパ部は、
上記第１の軸に嵌合して設けてあり、上記ケーシングの内面に密着して、上記ケーシングのち、上記第１のばね部材が収容されているばね収容部分を仕切るシール部材と、
該シール部材によって仕切られたばね収容部分内に充填されているオイルとよりなり、
上記折り畳み体が閉じ位置から開き位置へ回動するときの上記第１の軸及び上記第１のばねの動きが上記オイルを攪拌させる構成としたものである。
請求項７の発明は、請求項５のダンパ部は、
上記第１の軸に嵌合して設けてあり、上記ケーシングの内面に密着して、上記ケーシングのち、上記第１のばね部材が収容されているばね収容部分を仕切るシール部材と、
該シール部材によって仕切られた部分内に充填されているオイルと、
上記第１の軸に形成してあり、上記シール部材によって仕切られた部分内に位置しており、第２のストッパに当たって該第１の軸の回動停止位置をきめる羽根部とよりなり、
上記折り畳み体が閉じ位置から開き位置へ回動するときの上記第１の軸の羽根部の動きが上記オイルを攪拌させる構成としたものである。
請求項８の発明は、請求項５のダンパ部は、
上記第１の軸に嵌合して設けてあり、上記ケーシングの内面に密着して、上記ケーシングのち、上記第１のばね部材が収容されているばね収容部分を仕切るシール部材と、
該シール部材によって仕切られた部分内に充填されているオイルと、
上記第１の軸の周面に形成してあり、上記シール部材によって仕切られた部分内に位置している平面部とよりなり、
上記折り畳み体が閉じ位置から開き位置へ回動するときの上記第１の軸の平面部の動きが上記オイルを攪拌させる構成としたものである。
【手続補正３】
【補正対象書類名】明細書
【補正対象項目名】００１３
【補正方法】変更
【補正の内容】
【００１３】
請求項９の発明は、請求項１のヒンジモジュールのケーシングを、その端にケーシングより細い径のボビン部とこのボビン部の周面に対向する係止腕部とを有する構成とし、
該ケーシングに、横帯部とこの両端より逆方向に延びた第１及び第２の縦帯部とよりなるフレキシブルプリント回路板を、その横帯部をケーシングの外周に位置決めし、第１の縦帯部をケーシングに巻付け、ケーシングに固定した抑え部品によって解けないようにし、第２の縦帯部を上記ボビン部に巻付け且つ解けないように係止腕部に係止させてなり、
第１の縦帯部の先端に電話機本体と接続される端子部を有し、第２の縦帯部の先端に折り畳み体と接続される端子部を有する構成としたものである。


【手続補正４】
【補正対象書類名】明細書
【補正対象項目名】００１４
【補正方法】変更
【補正の内容】
【００１４】
請求項１０の発明は、電話機本体と、
折り畳み体と、
該折り畳み体を上記電話機本体に対して、閉じ位置と開き位置との間を回動するように支持する請求項１乃至９のうちいずれか一項記載のヒンジモジュールとよりなる構成としたものである。


【手続補正５】
【補正対象書類名】明細書
【補正対象項目名】００５４
【補正方法】変更
【補正の内容】
【００５４】
請求項２、３、４、５，６，７，８の発明によれば、ダンパ機能を効果的に発揮できる。
請求項９の発明によれば、ダンパ機能を備え且つフレキシブルプリント回路板を有するヒンジモジュールを小型に出来る。また、折り畳み体がその内部に送話器及びスイッチ等が組み込まれる場合に適用して効果を有する。


【手続補正６】
【補正対象書類名】明細書
【補正対象項目名】００５５
【補正方法】変更
【補正の内容】
【００５５】
請求項１０の発明によれば、ヒンジモジュールが小型となった分、折り畳み携帯電話機を小型に出来る。